(57)【要約】【課題】ボール紙や硬質ビニールの平面材を筒状の円錐型に組み立てメガホン兼うちわとして機能させる先行技術がある。うちわとして使う場合、うちわ部分の面積が小さく風量が少ない。また、メガホンとして使用する場合、ホーンの開口角度が鋭角のため遠くできこえる声が籠り明瞭度が低くなる。さらに、メガホン内面を広告媒体として使用する場合、正面から見た面積が小さく広告効果が低いといった課題がある。【解決手段】平面材（１）の中央付近に楕円形の穴（２）と楕円から外周まで到達する切込み（３）を形成し、切込みの両側片をつなぐ係止具（４）を設けた構造で、係止具（４）により両側片をつなぐことにより開口面積の大きな円錐形を作り、楕円形の穴を口当て部（５）にしてメガホンとして使用するとともに、全体を持って扇ぐことでうちわとして使えることを特徴とするメガホン兼うちわ。【選択図】図１
2013154154.tif 000002
【特許請求の範囲】
【請求項１】
平面材の中央付近に楕円形の穴と楕円から外周まで到達する切込みを形成し、切込みの両側片をつなぐ係止具を設けた構造で、係止具により両側片をつなぐことにより開口面積の大きな円錐形を作り、楕円形の穴を口当て部にしてメガホンとして使用するとともに、全体を持って扇ぐことでうちわとして使えることを特徴とするメガホン兼うちわ。
【発明の詳細な説明】
【技術分野】
【０００１】  本発明はスポーツの応援等に用いる組立式メガホン兼うちわに関する技術。
【背景技術】
【０００２】  ボール紙や硬質ビニールの平面材を筒状の円錐形に組み立てメガホン兼うちわとして機能させる技術であり、メガホンの先端部の面積を広げメガホン状態のままうちわの機能を実現したものがある（例えば、特許文献１参照）。
また、筒状の円錐形メガホン部分を平面状に折りたたむことでうちわの機能を実現したものがある（例えば、特許文献２）。
【先行技術文献】
【特許文献】
【０００３】
【特許文献１】  実登第３１５２９２７号公報
【特許文献２】  実開平７−１７１１５号公報
【発明の概要】
【発明が解決しようとする課題】
【０００４】  特許文献１ではメガホンの先端部の面積を広げメガホンのままうちわの機能を実現しているが、うちわ面積が小さいため風量が小さい。特許文献２では、うちわ機能とする時は筒状の円錐形メガホン部分を平面状にたたむ必要があり煩わしい。また、持ち手部は、特許文献１ではメガホン本体を持ち手部とするため扇ぎ難く、特許文献２では平面部を握って扇ぐ必要があり長時間使用時に疲れる。【０００５】  メガホンとして使用する場合の音声の品質については、両先行技術ともメガホンの開口角度が鋭角であり、メガホン内面の色々な場所で反射した声が混じり合うため、遠くで聞こえる声が籠ったようになり明瞭度が低くなる。【０００６】  メガホン内面を広告媒体として使用しようとする場合、正面からみた開口面積が小さく広告効果が低い。
【課題を解決するための手段】
【０００７】  平面材（１）の中央付近に楕円形の穴（２）と楕円から外周まで到達する切込み（３）を形成し、切込みの両側片をつなぐ係止具（４）を設けた構造で、係止具（４）により両側片をつなぐことにより開口面積の大きな円錐形を作り、楕円形の穴を口当て部（５）にしてメガホンとして使用するとともに、全体を持って扇ぐことでうちわとして使えることを特徴とするメガホン兼うちわ。
【発明の効果】
【０００８】  メガホン形状のままうちわとして使用可能であり、また開口面積が大きいため風量も十分で扇いだ時の涼しさが増す。また持ち手部については、実施例３に示すように、平面素材の一部にうちわの持ち手部分を形成することで扇ぎ易く長時間使用することができる。【０００９】  メガホンとして使用する場合の音声の品質については、メガホンの開口角度が大きく、メガホン内面で反射した声が混じり合わず、聞こえる声の明瞭度が向上し声援等が遠くでも聞き易い。【００１０】  メガホンを広告媒体として使用する場合、メガホンの開口角度が大きく、正面から見た開口面積が大きいため、メガホン内面に文字や絵を描き広告媒体等として活用可能である。特に、スポーツの応援用に大勢で使用すると高い広告効果を得られる。
【図面の簡単な説明】
【００１１】
【図１】  実施例１の組立前図
【図２】  実施例１の組立後の正面および側面図
【図３】  実施例１のメガホンとしての使用例
【図４】  実施例２の組立前図
【図５】  実施例２の組立後の正面図
【図６】  実施例２のうちわとしての使用例
【図７】  実施例３の組立前図
【図８】  実施例３の組立後の正面図
【図９】  実施例３のメガホン内面に絵を描いた時のメガホンとしての使用例
【発明を実施するための形態】
【００１２】  以下、本発明を実施するための形態について実施例１〜３として説明する。
【実施例１】
【００１３】  本発明の実施例１を図１〜図３に示す。平面材としては厚さ０．５ｍｍ程度の腰のある塩化ビニール等を用いる。平面材の形状は任意であるが、ここでは通常のうちわの面の形状とする。図１に示すように、平面材（１）に楕円形の穴（２）と直線の切込み（３）を形成し、また切込みの両片をつなぐ係止具（４）を設ける。係止具（４）は切込みの片側の片に台形の切込みを設け折り曲げ平面から浮かせた係止片と、もう一方の片側の片に設けた係止片幅よりやや幅の大きな差し込み穴で構成する。図２に示すように、係止片を差し込み穴に挿入すると、平面材は開口面積の大きな円錐面となる。図３のように中心部の楕円形の穴を口当て部（５）とすることでメガホンとして機能し、全体を持って扇ぐとうちわとしての機能を発揮する。
【実施例２】
【００１４】  本発明の実施例２を図４〜図６に示す。実施例２の特徴は平面材に柄を付け扇ぎ易くすることにある。平面材としては厚さ０．５ｍｍ程度の腰のある塩化ビニール等を用いる。平面材の形状は任意であるが、ここでは通常のうちわの面の形状とする。図４に示すように、平面材（１）に楕円形の穴（２）と直線の切込み（３）を形成し、また切込みの両片をつなぐ係止具（４）を設ける。係止具（４）は切込みの片側の片に台形の切込みを設け折り曲げ平面から浮かせた係止片と、もう一方の片側の片に設けた係止片幅よりやや幅の大きな差し込み穴で構成する。さらに、持ち易くするため柄と柄をメガホン面に接着しやすくする面を有する部材（６）を平面材に接着する等で取り付ける。係止片を差し込み穴に挿入すると、図５に示すように、平面材（１）は開口面積の大きな円錐面となる。中心部の楕円形の穴を口当て部（５）とすることでメガホンとして機能し、図６に示すように、部材（６）の柄部分を持つことで扇ぎ易く、長時間使用にも楽なうちわとなる。
【実施例３】
【００１５】  本発明の実施例３を図７〜図９に示す。実施例３の特徴は平面材にメガホン兼うちわとなる面と持ち手部を一体として形成することにある。平面材としては厚さ０．５ｍｍ程度の腰のある塩化ビニール等を用いる。平面材の形状は任意であるが、ここでは通常のうちわの面の形状とする。図７に示すように、平面材（１）に楕円形の穴（２）と直線の切込み（３）を形成し、また切込みの両片をつなぐ係止具（４）を設ける。切込みの両片の形状は両片を係止具で留めた時に持ち手部（７）として十分な強度を有しかつ握り易い形状とする。係止具（４）は切込みの片側の片に台形の切込みを設け折り曲げ平面から浮かせた係止片と、もう一方の片側の片に設けた係止片幅よりやや幅の大きな差し込み穴で構成する。図８に示すように、係止片を差し込み穴に挿入すると、平面材は開口面積の大きな円錐面となり、また平面材の持ち手部（７）が柄となる。この柄を持つことでメガホンとして持ち易く、またうちわとして扇ぎ易くなる。また図９のように開口面積の大きなメガホン内面に人の顔の絵や文字等を描くことにより広告への活用度を高めることができる。
【符号の説明】
【００１６】    １  平面材
２  楕円形の穴
３  切込み
４  係止具
５  口当て部
６  柄と柄をメガホン面に接着しやすくする面を有する部材
７  持ち手部
【図１】
2013154154.tif 000003
【図２】
2013154154.tif 000004
【図３】
2013154154.tif 000005
【図４】
2013154154.tif 000006
【図５】
2013154154.tif 000007
【図６】
2013154154.tif 000008
【図７】
2013154154.tif 000009
【図８】
2013154154.tif 000010
【図９】
2013154154.tif 000011